【手続補正書】
【提出日】平成18年2月28日(2006.2.28)
【手続補正１】
【補正対象書類名】明細書
【補正対象項目名】特許請求の範囲
【補正方法】変更
【補正の内容】
【特許請求の範囲】
【請求項１】  業者が販売する商品及び／又はサービスを、コンピュータネットワークを介して比較するコンピュータによるオンライン価格比較方法であって、
競合他社が前記コンピュータネットワークを介して販売している商品の価格を、前記コンピュータネットワークを介して競合他社のデータベースに要求するステップと、
前記競合他社の価格を前記データベースから受信するステップと、
前記競合他社の価格をディスプレイに表示するステップと、
前記競合他社の価格が前記商品価格よりも低い場合は、前記業者が販売している前記商品の価格を所定額値下げして新規価格とするステップと、
前記新規価格を前記ディスプレイに表示するステップとからなることを特徴とするオンライン価格比較方法。
【請求項２】  競合他社の価格を要求する前記ステップを、顧客からの要求に応じて行うことを特徴とする請求項１記載のオンライン価格比較方法。
【請求項３】  前記値下げするステップは、前記商品価格を値下げする前に前記商品価格が所定のしきい値よりも大きいか否かを判断するステップを更に備えることを特徴とする請求項１記載のオンライン価格比較方法。
【請求項４】  前記競合他社の価格を要求するステップを、顧客が開始することを特徴とする請求項１記載のオンライン価格比較方法。
【請求項５】  前記商品が、書籍であることを特徴とする請求項１記載のオンライン価格比較方法。
【請求項６】  前記競合他社の価格を要求するステップでは、国際標準図書番号（ＩＳＢＮ）を用いて前記書籍に関する競合他社の価格の要求を更に行うことを特徴とする請求項５記載のオンライン価格比較方法。
【請求項７】  前記競合他社の価格が受信されたか否かを検出し、もし前記競合他社の価格が受信されていない場合は前記ディスプレイにエラーメッセージを表示するステップを更に備えることを特徴とする請求項１記載のオンライン価格比較方法。
【請求項８】  前記商品価格を値下げして前記新規価格を生成するステップは、新しい業者価格を見たいという顧客の要求に対して行うことを特徴とする請求項１記載のオンライン価格比較方法。
【請求項９】  前記商品価格を値下げするステップは、
前記競合他社の価格を商品価格と比較するステップと、
前記競合他社の価格が前記商品価格よりも低い場合は前記競合他社の価格を所定のしきい値と比較するステップと、
前記競合他社の価格が所定のしきい値よりも低い場合は、前記商品価格を所定額値引きして新規価格を生成するステップを更に有することを特徴とする請求項３記載のオンライン価格比較方法。
【請求項１０】  前記競合他社の価格と前記所定のしきい値を比較するステップでは、前記競合他社の価格が前記所定のしきい値よりも低い場合に所定のメッセージを前記顧客へ送ることを特徴とする請求項９記載のオンライン価格比較方法。
【請求項１１】  前記新規価格を表示するステップでは、更に前記新規価格による節約額を表示することを特徴とする請求項１記載のオンライン価格比較方法。
【請求項１２】  前記新規価格を前記商品価格の代わりに格納することを特徴とする請求項１記載のオンライン価格比較方法。
【請求項１３】  業者が販売する商品及び／又はサービスを、コンピュータネットワークを介して比較するコンピュータによるオンライン価格比較方法であって、
顧客の要求に応じて前記コンピュータネットワークを介して競合他社のデータベースに競合他社の商品価格を依頼するステップと、
前記競合他社の価格が受信されたことを検出するステップと、
前記競合他社の価格が受信された場合は前記商品に関する前記競合他社の価格を表示し、前記競合他社の価格が表示されない場合はエラーメッセージを表示するステップと、
前記競合他社の価格と前記業者の商品価格を比較するステップと、
前記競合他社の価格が前記商品価格よりも低い場合は、前記競合他社の価格を所定のしきい値と比較するステップと、
前記競合他社の価格が前記所定のしきい値よりも大きい場合は、前記顧客からの要求に対して前記商品価格を所定額値下げして新規価格を生成するステップと、
前記新規価格を表示するステップとからなることを特徴とするオンライン価格比較方法。
【請求項１４】 前記商品が書籍であることを特徴とする請求項１３記載のオンライン価格比較方法。
【請求項１５】 前記競合他社の価格を要求するステップでは、国際標準図書番号（ＩＳＢＮ）を用いて前記書籍に関する競合他社の価格の要求を更に行うことを特徴とする請求項１４記載のオンライン価格比較方法。
【請求項１６】 前記競合他社の価格と前記所定のしきい値を比較するステップでは、前記競合他社の価格が前記所定のしきい値よりも低い場合に所定のメッセージを前記顧客へ送ることを特徴とする請求項１３記載のオンライン価格比較方法。
【請求項１７】 前記新規価格を表示するステップでは、更に前記新規価格による節約額を表示することを特徴とする請求項１３記載のオンライン価格比較方法。
【請求項１８】 前記新規価格を格納されている前記価格の代わりに格納することを特徴とする請求項１３記載のオンライン価格比較方法。
【請求項１９】 業者が販売している商品及び／又はサービスの価格と競合他社の商品及び／又はサービスの価格とをコンピュータネットワークを介してコンピュータによりオンライン比較する装置であって、
商品価格を格納する格納手段と、
競合他社の価格に関する比較要求を受信する入力手段と、
前記コンピュータネットワークを介して前記競合他社の価格を調達する調達手段と、
前記商品価格と前記競合他社の価格を表示する表示手段と、
前記商品価格と前記競合他社の価格を比較する比較手段と、
前記商品価格が前記競合他社の価格よりも高い場合は、前記商品価格を所定額値下げして新規価格を生成する調整手段とを備えることを特徴とするオンライン価格比較装置。
【請求項２０】 前記商品が書籍であることを特徴とする請求項１９記載のオンライン価格比較装置。
【請求項２１】 前記コンピュータネットワークは、インターネットであることを特徴とする請求項１９記載のオンライン価格比較装置。
【請求項２２】 前記コンピュータネットワークは、ローカルエリアネットワークを更に備えることを特徴とする請求項１９記載のオンライン価格比較装置。
【請求項２３】 前記コンピュータネットワークは、ワイドエリアネットワークを更に備えることを特徴とする請求項１９記載のオンライン価格比較装置。
【請求項２４】 前記コンピュータネットワークは、電子掲示板を更に備えることを特徴とする請求項１９記載のオンライン価格比較装置。
【請求項２５】 前記格納手段は、コンピュータメモリからなることを特徴とする請求項１９記載のオンライン価格比較装置。
【請求項２６】 前記格納手段は、書籍の前記商品価格を格納することを特徴とする請求項１９記載のオンライン価格比較装置。
【請求項２７】 前記入力手段は、前記コンピュータネットワークを介して顧客から前記比較要求を受信することを特徴とする請求項１９記載のオンライン価格比較装置。
【請求項２８】 前記調達手段は、顧客からの要求に対応して前記競合他社の価格を調達することを特徴とする請求項１９記載のオンライン価格比較装置。
【請求項２９】 前記調達手段は、前記商品に対する顧客からのアクセスに対応して前記競合他社の価格を調達することを特徴とする請求項１９記載のオンライン価格比較装置。
【請求項３０】 前記調達手段は、国際標準図書番号を用いて前記書籍に関する前記競合他社の価格を調達することを特徴とする請求項２０記載のオンライン価格比較装置。
【請求項３１】 前記調整手段は、前記新規価格を前記表示手段に表示させることを特徴とする請求項１９記載のオンライン価格比較装置。
【請求項３２】 前記新規価格が前記格納手段に格納されることを特徴とする請求項１９記載のオンライン価格比較装置。